(57)【特許請求の範囲】
【請求項１】
床面上に間隔をあけて設置される一対の支持体であって、それぞれが互いに向き合う対向部を有し、該対向部の少なくとも一部に相手方の支持体に向かって先下りに傾斜した支持体側テーパ面を有する一対の支持体と、
該一対の支持体の間を閉じる堰体であって、前記支持体側テーパ面に対応する堰体側テーパ面を両端部に有する堰体本体と、該堰体本体の堰体側テーパ面及び床面に対向する堰体本体の底面に添着されたパッキンとを有する堰体とを備え、
前記支持体の対向部又は堰本体の端部のいずれか一方は、支持体側テーパ面又は堰体側テーパ面を含む内面によって画定された溝部を備え、
前記支持体の対向部又は堰本体の端部のいずれか他方は、前記溝部に嵌入可能な凸条部であって、支持体側テーパ面又は堰体側テーパ面を含む凸条部を備え、
前記支持体の対向部又は堰本体の端部のいずれか一方は、前記溝部の両側に形成された一対の側壁部であって、溝部に対する凸条部の嵌合方向と直交する方向に広がる第一平面を含む一対の側壁部を備え、
前記支持体の対向部又は堰本体の端部のいずれか他方は、前記凸条部の両側に第一平面と対応した第二平面を含む一対の側端部を備えていることを特徴とする通路用防水設備。
【請求項２】
前記堰体の堰体側テーパ面を前記支持体の支持体側テーパ面に引き寄せるように堰体と支持体とを締結する連結具を備えていることを特徴とする請求項１に記載の通路用防水設備。
【請求項３】
前記連結具は、前記支持体と前記堰体のそれぞれに設けられた掛止部と、該掛止部の間隔を狭くするように両掛止部間に架け渡されるレバーとを備えていることを特徴とする請求項２に記載の通路用防水設備。
【発明の詳細な説明】
【技術分野】
【０００１】
本発明は、建物内の廊下や階段室廻りなどの通路において溢水対策を講ずるための通路用防水設備に関する。
【背景技術】
【０００２】
建物内の廊下や階段室廻りなどの通路において、溢水対策を講ずる通路用防水設備が設置されている。通路用防水設備は、床面上に間隔をあけて設置される一対の支持体と、一対対策を講ずる必要時に一対の支持体間を閉じる堰体とを備えている（例えば特許文献１参照）。
【０００３】
この通路用防水設備の支持体は、鉛直方向に延びる溝部を有している。一対の支持体は、この溝部同士が向き合うように床面上に設置される。そして、この通路用防水設備の支持体は、溢水対策を講ずる必要時のみ、堰体が一対の支持体間にセッティングされる。すなわち、堰体の各端部が各支持体の溝部内に嵌め込まれることで、一対の支持体間が堰体によって閉じられる。平常時においては、堰体が一対の支持体の間から取り外されている。
【先行技術文献】
【特許文献】
【０００４】
【特許文献１】実開昭６１−１６４３２６号公報
【発明の概要】
【発明が解決しようとする課題】
【０００５】
通路用防水設備は、支持体の溝部と堰体の端部との間隔をできる限り小さくすることにより、溢水時における遮水性を向上させることができる。しかし、支持体の溝部と堰体の端部との間隔が小さくされると、堰体の端部を支持体の溝部内に嵌め込んだり、取り外したりする作業をスムーズに行えなくなる。この作業をスムーズにするため、支持体の溝部と堰体の端部との間隔が大きくされると、遮水性が低下する。
【０００６】
そこで、本発明は、堰体を一対の支持体間に容易にセッティングすることが可能で、しかも堰体と支持体との間の遮水性を向上させた通路用防水設備を提供することを課題とする。
【課題を解決するための手段】
【０００７】
本発明に係る通路用防水設備は、床面上に間隔をあけて設置される一対の支持体であって、それぞれが互いに向き合う対向部を有し、該対向部の少なくとも一部に相手方の支持体に向かって先下りに傾斜した支持体側テーパ面を有する一対の支持体と、該一対の支持体の間を閉じる堰体であって、前記支持体側テーパ面に対応する堰体側テーパ面を両端部に有する堰体本体と、該堰体本体の堰体側テーパ面及び床面に対向する堰体本体の底面に添着されたパッキンとを有する堰体とを備え、前記支持体の対向部又は堰本体の端部のいずれか一方は、支持体側テーパ面又は堰体側テーパ面を含む内面によって画定された溝部を備え、前記支持体の対向部又は堰本体の端部のいずれか他方は、前記溝部に嵌入可能な凸条部であって、支持体側テーパ面又は堰体側テーパ面を含む凸条部を備え、前記支持体の対向部又は堰本体の端部のいずれか一方は、前記溝部の両側に形成された一対の側壁部であって、溝部に対する凸条部の嵌合方向と直交する方向に広がる第一平面を含む一対の側壁部を備え、前記支持体の対向部又は堰本体の端部のいずれか他方は、前記凸条部の両側に第一平面と対応した第二平面を含む一対の側端部を備えていることを特徴としている。
【０００８】
この通路用防水設備によれば、一対の支持体の間から取り外されていた堰体の堰体側テーパ面を支持体の支持体側テーパ面上に被せることによって、一対の支持体間を堰体によって閉じた状態とすることができる。したがって、この通路用防水設備は、堰体を容易にセッティングすることができる。そして、セッティングされた堰体は、堰体の端部から支持体の対向部に荷重を加える状態となるため、堰体側テーパ面に添着されたパッキンが支持体側テーパ面に密着し、堰体本体の底面に添着されたパッキンが床面に密着する。したがって、この通路用防水設備は、堰体と支持体及び床面との遮水性を確保することができるものになっている。
また、この通路用防水設備によれば、支持体の対向部又は堰本体の端部に備えられた溝部に堰体本体の端部又は支持体の対向部に備えられた凸条部が嵌入することで、セッティングされた堰体が一対の支柱体の間から外れないようにすることができる。
更に、この通路用防水設備によれば、第一平面と第二平面とが重なり合うことで、セッティングする堰体の位置決めを容易にすることができる。
【００１２】
また、本発明に係る通路用防水設備の別態様として、前記堰体の堰体側テーパ面を前記支持体の支持体側テーパ面に引き寄せるように堰体と支持体とを締結する連結具を備えていてもよい。この通路用防水設備によれば、連結具によって堰体の堰体側テーパ面が支持体の支持体側テーパ面に引き寄せられる。この結果、パッキンが圧潰された状態となり、堰体の端部と支持体の対向部との間の遮水性を向上させることができる。
【００１３】
この場合、前記連結具は、前記支持体と前記堰体のそれぞれに設けられた掛止部と、該掛止部の間隔を狭くするように両掛止部間に架け渡されるレバーとを備えていてもよい。この通路用防水設備によれば、レバーを操作することで、簡易に堰体側テーパ面を支持体側テーパ面に引き寄せ、強固に固定することができる。
【発明の効果】
【００１４】
本発明によれば、堰体を一対の支持体間に容易にセッティングすることが可能で、しかも堰体と支持体との間の遮水性を向上させた通路用防水設備を提供することができる。
【図面の簡単な説明】
【００１５】
【図１】図１は、本発明に係る通路用防水設備の第１の実施形態を示す概略斜視図である。
【図２】図２は、本発明に係る通路用防水設備の第１の実施形態を示し、（ａ）は堰体の要部拡大正面図であり、（ｂ）は支持体の要部拡大正面図であり、（ｃ）は支持体の要部拡大側面図である。
【図３】図３は、本発明に係る通路用防水設備の第２の実施形態を示す概略斜視図である。
【図４】図４は、本発明に係る通路用防水設備の第２の実施形態を示し、（ａ）は平面図であり、（ｂ）は正面図である。
【発明を実施するための形態】
【００１６】
〔第１の実施形態〕
本発明に係る通路用防水設備の第１の実施形態について図１及び図２を参照しながら説明する。この通路用防水設備は、建物内の廊下や階段室廻りなどの通路の床面Ｆ上に設置される一対の支持体１，１と、この一対の支持体１，１の間を閉じる堰体２とを備えている。支持体１及び堰体２は、中空の金属製とすることが好ましいが、コンクリート製や樹脂製、複合素材などであってもよく、材質を限定するものでない。
【００１７】
各支持体１は、図２（ｂ）（ｃ）に示すように、支持体本体１１とパッキン１２とを備えている。支持体本体１１は、図１に示すように、それぞれが互いに向き合う対向部１１１を備え、この対向部１１１が相手方に向かって先下りに傾斜した支持体側テーパ面１１２を有している。
【００１８】
そして、支持体本体１１の対向部１１１は、支持体側テーパ面１１２を含む内面によって画定された溝部１１３を備えている。さらに、支持体本体１１の溝部１１３の両側に形成された一対の側壁部１１４には、水平方向の第一平面１１５が設けられている。そして、この一対の側壁部１１４には、第一平面１１５から連続して垂直上向きに延びる第一垂直面１１６が設けられている。
【００１９】
また、図示した各支持体本体１１は、廊下の床面Ｆに沿う底面１１７及び壁面Ｗに沿う背面１１８を有している。この底面１１７及び背面１１８の中心線には、図２（ｂ）（ｃ）に示すように、保持溝１１９が形成され、この保持溝１１９内にパッキン１２が嵌め込まれている。ただし、パッキン１２は、支持体本体１１が床面Ｆ上に設置される前の状態において、保持溝１１９からわずかに突出している。パッキン１２としては、水密性や耐久性、弾力性を有するゴムなどの材料によって成形される。
【００２０】
そして、支持体本体１１の底面１１７の側縁から鍔部が突出している。この鍔部から床面Ｆ内にアンカーボルト１３が打ち込まれることにより、支持体１が床面Ｆ上に設置される。支持体１が床面Ｆ上に設置されると、支持体本体１１の底面１１７から突出していたパッキン１２が圧潰され、支持体本体１１の底面１１７と床面Ｆとの遮水性及び支持体本体１１の背面１１８と壁面Ｗとの遮水性が確保される。
【００２１】
そして、堰体２は、一対の支持体１，１を閉じる長さの変形棒状に成形された堰体本体２１と、この堰体本体２１に添着されるパッキン２２とを備えている。
【００２２】
堰体本体２１は、床面Ｆに対向する底面２１１と、底面２１１と平行な天面２１２と、底面２１１と天面２１２とに架け渡される２枚の主面２１３とを備えている。この堰体本体２１の両端部２１０は、支持体側テーパ面１１２に対応する堰体側テーパ面２１５を有している。堰体本体２１の端部２１０は、支持体本体１１の溝部１１３に嵌入する凸条部２１６と、この凸条部２１６の両側の側端部２１４とを備えている。
【００２３】
なお、凸条部２１６の溝部１１３に対する嵌合方向と直交する方向に広がるように、支持体本体１１の第一平面１１５が側壁部１１４に設けられる。
【００２４】
また、堰体本体２１の両側端部２１４には、支持体本体１１の第一平面１１５と対応した水平方向の第二平面２１７が設けられている。そして、堰体本体２１の側端部２１４には、第二平面２１７から連続して垂直上向きに延びる第二垂直面２１８が設けられている。支持体本体１１の第一平面１１５と堰体本体２１の第二平面２１７とが重なり合うことで、支持体本体１１の第一垂直面１１６と堰体本体２１の第二垂直面２１８とが重なり合う。
【００２５】
そして、堰体本体２１は、堰体側テーパ面２１５及び底面２１１側の中心線に保持溝２１９を形成したものとされている。この保持溝２１９には、支持体１に備えられたパッキン１２と同様のパッキン２２が嵌め込まれている。このパッキン２２の表面は、保持溝２１９内から若干突出している。
【００２６】
そして、堰体本体２１の各主面２１３の両端部２１０付近には、図２（ａ）に示すように、ハンドル２３が取り付けられている。このハンドル２３は、天面２１２から突出・退入自在とされている。
【００２７】
そして、通路用防水設備は、図２に示すように、堰体本体２１の堰体側テーパ面２１５を支持体本体１１の支持体側テーパ面１１２に引き寄せるように堰体２と支持体１とを締結する連結具３を備えている。この連結具３は、支持体本体１１に設けられた支持体側の掛止部３１と、堰体本体２１の端部２１０に設けられた堰体本体２１側の掛止部３２と、両掛止部３１，３２間に架け渡されるレバー３３とを備えている。
【００２８】
レバー３３は、鉛直方向に上下する第１のレバー３３１と、支持体側の掛止部３１に軸支されてターンする第２のレバー３３２とを組み合わせもので、第２のレバー３３２がターンすることで、第１のレバー３３１が上下動する。堰体本体２１側の掛止部３２に掛止された第１のレバー３３１が下がったときに、堰体側テーパ面２１５が支持体側テーパ面１１２の方に引き寄せられる。
【００２９】
第１の実施形態の通路用防水設備は、以上のように構成される。次に、使用態様について説明する。
【００３０】
溢水対策を講じない平常時において、堰体２は、一対の支持体１，１の間から外され、倉庫などに保管されている。そして、溢水対策を講じる必要時に、堰体２が一対の支持体１，１間にセッティングされる。すなわち、ハンドル２３が天面２１２から突出した状態として、ハンドル２３から吊り下げられた堰体本体２１が一対の支持体１，１の上方まで携行される。
【００３１】
そして、堰体本体２１の第二垂直面２１８が支持体本体１１の第一垂直面１１６に規制される状態となって、堰体２が一対の支持体１，１の間を閉じるように下降する。そして、堰体本体２１の凸条部２１６が支持体本体１１の溝部１１３内に入り込み、堰体本体２１の各第二平面２１７が各支持体本体１１の第一平面１１５上に載せられるとともに、堰体２のパッキン２２が支持体本体１１の支持体側テーパ面１１２上及び床面Ｆ上に重なり合う。
【００３２】
この状態において、堰体本体２１の荷重が支持体本体１１の支持体側テーパ面１１２に加えられるため、堰体２のパッキン２２は、圧縮されたようになり、支持体本体１１の支持体側テーパ面１１２上及び床面Ｆ上に密着する。
【００３３】
さらに、連結具３を操作することによって、堰体２と支持体１とを締結する。すなわち、第１のレバー３３１を堰体本体２１側の掛止部３２に引っ掛け、第２のレバー３３２をターンさせることで、堰体本体２１の堰体側テーパ面２１５を支持体本体１１の支持体側テーパ面１１２に引き寄せる。このとき、堰体２のパッキン２２が圧潰された状態となり、堰体本体２１の端部２１０と支持体本体１１の対向部１１１との遮水性が向上する。
【００３４】
したがって、溢水対策を講じた通路容防水設備は、通路内に流入した水を確実に堰き止めることができる。
【００３５】
溢水対策が不要となると、連結具３による堰体２と支持体１との締結が解除され、堰体２が一対の支持体１，１間から撤去される。したがって、通路は、元の状態に復帰し、堰体２が通行の障害となることがない。
【００３６】
〔第２の実施形態〕
本発明に係る通路用防水設備の第２の実施形態について図３及び図４を参照しながら説明する。第１の実施形態で説明した部分に相当する第２の実施形態の部分は、同一符号を付する。
【００３７】
この第２の実施形態における通路用防水設備も、第１の実施形態と同じく、建物内の廊下や階段室廻りなどの通路の床面Ｆ上に設置される一対の支持体１，１と、この一対の支持体１，１の間を閉じる堰体２とを備えている。
【００３８】
第２の実施形態の支持体１は、支持体本体１１とパッキン１２とを備えている。支持体本体１１は、それぞれ互いに向き合う対向部１１１を備え、この対向部１１１が相手方に向かって先下りに傾斜した支持体側テーパ面１１２を有している。そして、支持体本体１１の対向部１１１は、支持体側テーパ面１１２に画定された溝部１１３を備えている。ただし、第２の実施形態の支持体本体１１には、第１の実施形態と異なり、溝部１１３を形成する一対の側壁部１１４には、第一平面と第二垂直面が設けられていない。
【００３９】
そして、堰体２は、第１の実施形態と同じく、一対の支持体１，１を閉じる長さの変形棒状に成形された堰体本体２１と、この堰体本体２１に添着されるパッキン２２とを備えている。
【００４０】
また、堰体本体２１の端部２１０は、支持体側テーパ面１１２に対応する堰体側テーパ面２１５を有している。堰体本体２１の端部２１０は、支持体本体１１の溝部１１３に嵌入する堰体側テーパ面２１５を含む凸条部２１６を備えている。ただし、第２の実施形態の堰体本体２１の端部２１０には、第１の実施形態と異なり、第二平面と第二垂直面が設けられていない。
【００４１】
また、堰体本体２１の各主面２１３の両端部２１０付近には、堰体本体２１の天面２１２から突出・退入自在のハンドル２３が取り付けられている。
【００４２】
そして、第２の実施形態の通路用防水設備も、堰体本体２１の堰体側テーパ面２１５を支持体本体１１の支持体側テーパ面１１２に引き寄せるようにして堰体２と支持体１とを締結する連結具３を備えている。図４に示した連結具３は、第２のレバー３３２が堰体本体２１に軸支され、第２のレバー３３２がターンすることで、第１のレバー３３１が上下動する。第１のレバー３３１が支持体本体１１に備えられた掛止部３１に引っ掛けられる。
【００４３】
第２の実施形態の通路用防水設備は、以上のように構成される。次に、堰体２を一対の支持体１，１間にセッティングする態様について説明する。
【００４４】
堰体本体２１が一対の支持体１，１の上方から下降されることにより、堰体本体２１の凸条部２１６が支持体本体１１の溝部１１３内に入り込み、堰体２のパッキン２２が支持体本体１１の支持体側テーパ面１１２上及び床面Ｆ上に重なり合う。この状態において、堰体本体２１の荷重が支持体本体１１の支持体側テーパ面１１２に加えられるため、堰体２のパッキン２２は、圧縮されたようになり、支持体本体１１の支持体側テーパ面１１２上及び床面Ｆ上に密着する。
【００４５】
さらに、連結具３を操作することで、堰体２と支持体１とを締結する。すなわち、第１のレバー３３１を支持体本体１１の掛止部３１に引っ掛け、第２のレバー３３２をターンさせることで、堰体本体２１の堰体側テーパ面２１５が支持体本体１１の支持体側テーパ面１１２に引き寄せられる。このとき、堰体２のパッキン２２が圧潰された状態となり、堰体本体２１の端部２１０と支持体本体１１の対向部１１１との遮水性が向上する。
【００４６】
したがって、溢水対策を講じる必要時において、この通路容防水設備は、通路内に流入した水を確実に堰き止めることができる。
【００４７】
〔他の実施形態〕
第１の実施形態及び第２の実施形態では、支持体本体１１が溝部１１３を備え、堰体本体２１が凸条部２１６を備えた。しかし、支持体本体１１が凸条部を備え、堰体本体２１が溝部を備えてもよい。さらに、通路用防水設備は、支持体本体１１が溝部１１３又は凸条部２１６のない支持体側テーパ面１１２を有し、堰体本体２１が凸条部２１６又は溝部１１３のない堰体側テーパ面２１５を有するようにしてもよい。
【００４８】
また、堰体２の重量などによって、堰体２のパッキン２２によって十分な遮水性を確保することができる場合は、必ずしも連結具３を備えなくてもよい。
【００４９】
また、この通路用防水設備は、階段室廻りに設置する場合においては、支持体本体１１の底面１１７が平面視Ｌ字状の支持体１が床面Ｆ上に設置される。この場合は、当然ながら、Ｌ字状の支持体１の先端部が向き合うように設置される。
【符号の説明】
【００５０】
１…………支持体
１１………支持体本体
１１１……対向部
１１２……支持体側テーパ面
１１３……溝部
１１４……側壁部
１１５……第一平面
１１６……第一垂直面
１２………パッキン
２…………堰体
２１………堰体本体
２１０……端部
２１４……側端部
２１５……堰体側テーパ面
２１６……凸条部
２１７……第二平面
２１８……第二垂直面
３…………連結具
３１………掛止部
３２………掛止部
３３………レバー
Ｆ…………床面
【図１】
0006005679.tif 000002
【図２】
0006005679.tif 000003
【図３】
0006005679.tif 000004
【図４】
0006005679.tif 000005